(57)【要約】      （修正有）【課題】医療廃棄物を収納、移送、焼却する為の安全・安価にて環境への負荷を低減させた医療廃棄物収納・輸送・焼却用容器の提供である。【解決手段】燃焼時、有毒ガスが発生せず、炉内温度の上昇を抑制する素材構成にて、医療廃棄物（主に注射針に代表される危険物）が容器を貫通することが不可能な機構とその威力をより確実なものにする為に天然鉱石・貝粒をもちいて容器との一体化を計り、同時に脱臭力、殺菌力、乾燥力等も兼ね備えた。  又、移動時に使用する取っ手においても、素材を生分解性とし容器密封度向上の為の支点が常に内部への応力となる機構である。【選択図】図２
2006223781.tif 000002
【特許請求の範囲】
【請求項１】
容器を構成する部材（外筒・内筒・底板・蓋・取っ手）からなり、材質は古紙を使用し部材の間もしくは表面に天然鉱石、貝殻、植物粒がコーティングされていることを特徴とする医療廃棄物収納・輸送・焼却用容器。（以下容器という）
【請求項２】
容器構成部材である内筒側面に底板、上蓋が納まるリング状の溝を有し、そこに底板、上蓋を圧入しスプリング効果にて脱却を防止、又汚水等の漏洩も防止する機構（流出防止弁）を有することを特徴とする容器。
【請求項３】
容器移送時に使用する取っ手に、生分解素材の紐を用い、移送に力が働いた場合、紐の支点が蓋のラインに位置し、容器中心に向かい内圧が働くことにより、シール性を増大させる機能を有することを特徴とする。（内部への集中応力）
【請求項４】
容器形状が蓋部より底面面積が小さくなっており、すなわちテーパー状であることを特徴とする容器。
【請求項５】
部材にコーティングされた天然鉱石、貝殻粒の有する特性において脱臭、殺菌、乾燥又は焼却時のガスの浄化等の効果を有する容器。
【発明の詳細な説明】
【発明の詳細な説明】
【産業上の利用分野】
【０００１】  本発明は、病院にて発生する多種多様の医療廃棄物の収納から輸送、焼却処分までの工程で使用する容器に関する。
【０００２】  従来から広く用いられている容器は、大半が高分子系素材にてインジェクション成型によるプラスチック容器が使用されているが、毎日消費の為、高価な容器は経費のアップにつながる事と、法的に焼却処理が義務化されており、素材がプラスチックであるゆえに燃焼温度が高く、焼却炉への悪影響は避けられず、又燃焼時に発生する有毒ガスの対応も急がれている。又投入物によってはダンボール製の容器も存在するが、プラスチック程の強度は無く使用範囲は限られている。特に危険物・刃物類等の収納には適さない。
【発明が解決しようとする課題】
【０００３】  かかる従来の課題を克服すべく、環境に優しく現在の容器と同等の強度を保持し、安価な容器を提供する為に本考案はなされたものである。
【課題を解決する為の手段】
【０００４】  本発明に関するまず第一の環境負荷の問題、すなわち焼却時の燃焼温度が高温になりカロリーが高い要因はプラスチック材にあり、本考案品は古紙を溶解し、板状に成型した板紙によって容器部材を構成している為、当然低カロリーで燃焼温度も低下する。
又、紙の原料は植物であるがゆえに、有毒ガスの発生も皆無である。
【０００５】  又、板紙部材にコーティングせしめた天然鉱石、貝殻粒の特性による効果で、脱硫をはじめとする有毒ガス吸着、分解の作用もある。
同時に危険物に分類されている注射針、メス等が容器を貫通し、外部に露出しないよう考案した。
請求項１の考案である。
【０００６】  すなわち容器部材にコーティングされた鉱石粒、貝粒の硬度と形状（球）の効果により、内部に収納された注射針やメス等が何らかの作用で内筒より加圧され、外筒部に移動する時、鉱石粒、貝粒に接すると球状の為先端部の鋭利な部分は直進することができず逃げようとする。一回目はなんとか直進できたとしても、又次の球に接する為、前進困難となる。
ゆえに、この理論・構造にて注射針やメス等が容器を貫通することは不可能となる。
【０００７】  又、安全性向上の為の手段として、容器構成の部材である底板又は廃棄物投入後の上蓋取付の工法にスプリング・バックの反圧力を内筒側面に設けたリング溝にそれぞれの板を圧入し、接着剤にてシーリングを促すことにより強度を増大させ密閉性を大きく向上させた。
この方法の確立により、廃棄物収納後の封緘作業を簡素化したと同時に一度蓋をすると再度開くことは破壊しない限り困難になり、より安全性を高めることに成功した。
請求項２の考案である。
【０００８】  次に収納・封緘後容器を移動、保管庫への積み上げ等の作業を行う際、容器を持ち上げる為の取っ手が必要であり、前項の理由から（環境負荷、焼却後の選別）異種材質、特に金属、プラスチック系統は退けたく容器との同材質が望まれる。その為に本考案においては植物を主原料とする紐に着目し、容器外筒形状に合わせた輪を作り、荷重が働いた際常に支点の位置が上蓋のラインに到達するように考案した。
このことにより、移動時は常に紐支点の圧力が容器中心に向かい、応力が発生する為に蓋と容器の密着度は増し、安全性の向上を図った。
請求項３の考案である。
【０００９】  紙管を称されるものは古来より数多く存在しているが、その大半の製造は紙テープに糊付したものをマンドレルに巻きつけ、平ベルトにより固着する方法が利用されており、大量に製造するには連続運転が可能でメリットｆが多い。
しかしながら、製法上ストレート管しか製造出来ない欠点もある。
【００１０】  本考案品においては、容器の本体である外筒、内筒を展開抜きされたる板紙を用いて円錐台（テーパー）の金型に糊り付けていき、容器本体を形成可能にした。これにより移動輸送する際積み重ねることが可能となり、輸送コストの低減に寄与した。
請求項４の考案である。
又、移送時容器が倒れた時において、水が上部より流出しないよう逆流防止弁を設け、より安全性を向上させた。
請求項２の考案である。
【００１１】  次に容器構成部材、すなわち外筒、内筒、底板、上蓋にコーティングされたる天然鉱石、貝粒等には多くの特性とパワーを有しており、これらの物質を接着剤と混合し容器部材と一体化をなすことにより古紙主体の容器が数々の特性、機能を保有し医療廃棄物が有する雑菌の繁殖、悪臭の問題、危険物の混入等の問題解決の一翼を担う。
すなわち、鉱石、貝等が有する機能の代表的なものは
１．マイナスイオン
２．波動
３．遠赤外線効果
４．消臭・脱臭
５．抗菌・殺菌
６．乾燥促進
などが上げられる。（別紙資料添付）
ゆえに、焼却時における燃焼温度の抑制、脱硫効果に威力を発揮する。（例：東京都が採用しているゴミ袋に炭酸カルシューム入りが存在するのはこの為である）
請求項５の考案である。
【発明の実施形態】
【００１２】  本発明の容器は、主原料である古紙を溶解し再度板紙に成形されたものを簡易金型と治具を用いて、成型加工にて容器となす。
図面に基づき説明する。
【図面の簡単な説明】
【００１３】
【図１】本発明容器の全体図を、平面図と正面図で示す。
【図２】本発明容器の左側断面図である。
【図３】本発明容器の左側断面の拡大図である。
【図４】本発明容器の取っ手（紐）の図面である。
【図３−Ｚ】鉱石、貝粒と注射針の位置関係の拡大図である。
【符号の説明】
【００１４】▲１▼：容器本体
▲２▼：外筒
▲３▼：内筒
▲４▼：底板
▲５▼：上蓋
▲６▼：取っ手（紐）
▲７▼：鉱石粒、貝粒
▲８▼：逆流防止弁
▲２▼−Ａ：外筒板紙外
▲２▼−Ｂ：外筒板紙内
▲３▼−Ｃ：内筒板紙本体
▲３▼−Ｄ：内筒板紙上部
▲３▼−Ｅ：内筒板紙下部
▲４▼−イ：底板用ミゾ部
▲５▼−ロ：上蓋用ミゾ部
▲６▼−ハ：取っ手支点
▲７▼−ニ：鉱石粒、貝粒拡大
▲９▼：注射針
（φＤ）：容器上部
（φＥ）：容器下部
（Ｈ）：容器高さ
【容器の構成】
【００１５】  図１において、（φＥ）、（φＤ）、（Ｈ）の寸法にて容器の大きさは決定され、上部に取っ手（紐）が位置し、本容器が構成される。
以下図により細部を説明する。
【００１６】  図２において、容器を構成する部材は▲２▼・▲３▼・▲４▼・▲５▼・▲６▼からなり、▲２▼・▲３▼の間隙、▲４▼の上面、▲５▼の両面に▲７▼がコーティングされ形成されている。
又▲３▼において上部、下部それぞれに▲４▼−イ、▲５▼−ロを有し、▲４▼・▲５▼が圧入される構造となっており、▲４▼は容器成型時に組み込まれるが、▲５▼に関しては病院等により廃棄物を投入、収納されたのち圧入密封となる。
【００１７】  図３において▲２▼・▲３▼の間隙に▲７▼が位置する拡大断面図である。
板紙に▲７▼がコーティングされていることで容器強度の増進も当然であるが、図３−Ｚの如く危険物、特に▲８▼注射針が▲３▼側より何らかの圧力にて▲２▼方向に進行してきても▲８▼の先端部が▲７▼−ニに接すると▲７▼の形状が球体の為直進することは出来ず、上下左右いずれかの方向に逃げようとするが、次なる▲７▼に接し、直進は不可能となる。
【００１８】  図４において、移動時に必要とする取っ手の全体図を示す。
素材は環境に配慮した生分解系（植物）を用いて移動時にのみ使用するよう考案され、▲６▼−ハの如き結び目を有する。
本▲６▼−ハが図２における▲５▼−ロ部に位置するよう考案されており、加重がかかった際は、内部への圧力に変換され、▲５▼の脱着を防止し、▲５▼と▲１▼の密封度をより強力なものとする。
又、不可抗力により移動、移送時に容器を倒した際にも水漏れ等が発生しないように▲８▼逆流防止弁を容器上部、上蓋部に装着されており、一段と安全性の向上を図っている。
【発明の効果】
【００１９】  以上を要する本発明の容器は、高分子系素材を一切使用せず、環境負荷を抑制し強度・安全性への信頼度を向上させる為の、内筒部にミゾを形成しそのミゾ部に底板・上蓋を圧入せしむ手段を用い、さらに容器を構成する部材に鉱石粒・貝粒をコーティングすることにより、板紙の強度を向上させたことにより廃棄物の中でも特に危険物と称される器具（注射針・メス等）が容器を破損し、外部への露出を不可能とする機構を有する。
又天然鉱石粒・貝粒を容器と一体化させたことにより、それぞれが有するパワー、すなわち脱臭効果、乾燥促進効果、殺菌・滅菌効果、排ガス浄化効果を得れる。
さらに移動時にも常に内部応力をかけることにより、容器本体と上蓋の密封度を向上させ輸送時の安全性を向上させた。
【図１】
2006223781.tif 000003
【図２】
2006223781.tif 000004
【図３】
2006223781.tif 000005
【図４】
2006223781.tif 000006
【手続補正書】
【提出日】平成17年7月19日(2005.7.19)
【手続補正１】
【補正対象書類名】図面
【補正対象項目名】全図
【補正方法】変更
【補正の内容】
【図１】
2006223781.tif 000007
【図２】
2006223781.tif 000008
【図３】
2006223781.tif 000009
【図３−Ｚ】
2006223781.tif 000010
【図４】
2006223781.tif 000011